(57)【要約】【課題】異物が遊技領域内に侵入することを抑制するとともに、発射装置により発射された遊技媒体の飛びが安定する遊技機を提供する。【解決手段】透明板保持枠８と前枠２が施錠機構６０により施錠された状態において、異物Ｗの侵入が可能な第２状態においては、少なくとも弾性ひれ片８５が付勢に抗した状態である場合には透明板保持枠８の移動に追従して透明板保持枠８あるいは透明板７との当接状態が継続することによって、透明板保持枠８と前枠７との間から異物Ｗが侵入しても弾性ひれ片８５により遊技領域６への侵入を困難あるいは不能とし、本体部８１のうち弾性ひれ片８５と同じ縁側で弾性ひれ片８５と異なる方向に突設して透明板保持枠８を支持する支持部８３を設けており、支持部８３は弾性ひれ片８５側から侵入した異物Ｗを遊技領域６側に侵入することを抑制する侵入抑制部であり、弾性ひれ片８５と支持部８３との間に隙間を設けた。【選択図】図１１
2011072831.tif 000002
【特許請求の範囲】
【請求項１】
遊技領域が形成された遊技盤と、前記遊技盤が設けられる前枠と、前記遊技領域に遊技媒体を発射する発射装置と、前記発射された遊技媒体を前記遊技領域の上部側に誘導する外レールと、前記外レールに誘導されて前記遊技領域内に入った遊技媒体を前記遊技領域の下部側へと誘導する内レールと、前記前枠の前側に開閉自在に装着されるとともに前記遊技領域が視認可能な透明板を保持する透明板保持枠と、前記前枠と前記透明板保持枠の開閉状態を施錠する施錠機構とを備えた遊技機において、
前記内レールは、前記遊技媒体を誘導するための本体部と、前記本体部の縁に設けられ前記本体部を前記遊技盤に取り付けるための取付部と、前記本体部のうち前記取付部とは反対側の縁に設けられた弾性を有する弾性ひれ片とで構成され、
前記透明板保持枠と前記前枠との関係において、前記透明板保持枠が前記前枠に対して前記施錠機構の施錠により正常に閉鎖した状態の場合に前記透明板保持枠と前記前枠との間から異物の侵入を困難な状態とするとともに前記弾性ひれ片が前記透明板保持枠あるいは前記透明板に対して弾性の付勢方向に抗した状態で当接する第１状態と、
前記透明板保持枠と前記前枠が前記施錠機構により施錠された状態において、前記透明板保持枠を開放させようとする場合に、前記透明板保持枠と前記前枠との間から異物の侵入が可能な状態となる第２状態と、
前記施錠機構の施錠を解除し、前記前枠に対して前記透明板保持枠を前記第２状態よりも開放した場合に前記弾性ひれ片が前記透明板保持枠あるいは前記透明板に対して当接しない第３状態とを有し、
前記第２状態においては、少なくとも前記弾性ひれ片が前記付勢に抗した状態である場合には前記透明板保持枠の移動に追従して前記透明板保持枠あるいは前記透明板との当接状態が継続することによって、前記透明板保持枠と前記前枠との間から異物が侵入しても前記弾性ひれ片により前記遊技領域への侵入を困難あるいは不能とし、
前記本体部のうち前記弾性ひれ片と同じ縁側で前記弾性ひれ片と異なる方向に突設して前記透明板保持枠を支持する支持部を設けており、前記支持部は前記弾性ひれ片側から侵入した異物を前記遊技領域側に侵入することを抑制する侵入抑制部であり、前記弾性ひれ片と前記支持部との間に隙間を設けたことを特徴とする遊技機。
【発明の詳細な説明】
【技術分野】
【０００１】
本発明は、パチンコ遊技機等に代表される遊技機に関し、特に外部からの異物の侵入を抑制することができる遊技機に関する。
【背景技術】
【０００２】
一般に、パチンコ遊技機等の遊技機は、内レールと外レールが囲むように取り付けられて遊技球等の遊技媒体が流下可能な遊技領域が形成された遊技盤を備え、前記遊技盤の前面には遊技領域が視認可能な透明板が配置されていて、発射装置によって発射された遊技球が内レールと外レールとで構成される案内通路を通って遊技領域に打ち込まれ、遊技領域内を流下して所定位置に配置された入球領域（入賞口等）に入球することによって、遊技者に対して所定数の賞球が付与されるように構成される。
【０００３】
このような遊技機では、例えば、遊技球が貯留される球受け皿から遊技球が排出される排出口にピアノ線等の異物（不正器具）を侵入させて入賞口等を開放させて遊技球を入球させやすい状態にして多くの賞球を獲得しようとする等の不正行為が行われることがある。そこで、この不正行為に対処するものとして、遊技盤上にある内レールと外レールとの間に生じる空間を覆う板部と、板部の裏面から垂直方向に突出して内レール側面に沿うように湾曲形成された第１突壁と、板部の表面から垂直方向に突出して先端部が球受け皿の上辺部に近接または当接して配置され横方向の長さが排出口の横幅よりも大きい第２突壁とを備える防犯部材が取り付けられた遊技機が知られている（例えば、特許文献１参照。）。
【０００４】
この遊技機では、遊技盤に透明板保持枠側に向けて突出させた第１突壁と第２突壁とが設けられているため、排出口から侵入したピアノ線等が突壁に当たることで異物の遊技領域への侵入を防止することができ、特に、突壁が透明板保持枠に当接させることでより効果的に不正防止することができる。しかしながら、このように突壁を透明板保持枠に当接させた場合、例えば、突壁の変性等によって透明板保持枠を閉じることができなくなる虞がある。そして、当接させなければ突壁と透明板保持枠との間に隙間が生じることとなるから、その隙間からピアノ線等の侵入が可能となって不正防止の効果が低下するという問題があった。
【０００５】
これに対し、遊技盤に設けられた外レールの上端縁側を外側に向かって延出した形状の反り返り部を有し、反り返り部の上部に弾性部材を配置した遊技機が知られている（例えば、特許文献２参照。）。この遊技機では、外レールの外側に向かって延出した反り返り部によりピアノ線等の異物を遊技機の前枠側に戻して遊技領域内への侵入を防止することができる。また、透明板保持枠は、施錠機構によって前枠に施錠されて閉鎖した状態でも完全に枠体に対して固定されるものではなく、多少の遊びが設けられる。そのため、遊技者が透明板保持枠を遊技者側に引っ張ることで前枠と透明板保持枠との間に隙間を生じさせるとともに、外レール（反り返り部）と透明板保持枠との間の隙間を広げて異物を侵入させ易くする不正が行われることもある。この遊技機では、透明板保持枠が遊技者側に引っ張られた場合でも、反り返り部の上部には弾性部材が配置されるため透明板保持枠と反り返り部との間に隙間が生じず、異物の侵入を防止することができる。
【０００６】
しかしながら、この遊技機では、外レールの上端縁に形成された反り返り部の上部に弾性部材を配置することにより、ガラス枠を閉鎖した際にその弾性部材の弾性力によって外レールが圧迫されて歪むことがある。そして、発射装置から発射された遊技球は外レールに当接して誘導されるため、前記外レールの歪みによって遊技球の飛びが不安定となる虞があった。
【先行技術文献】
【特許文献】
【０００７】
【特許文献１】特開２００６−３３４０３７号公報
【特許文献２】特開２００７−２８９５８２号公報
【発明の概要】
【発明が解決しようとする課題】
【０００８】
本発明は前記の点に鑑みなされたものであり、異物が遊技領域内に侵入することを抑制するとともに、発射装置により発射された遊技媒体の飛びが安定する遊技機を提供するものである。
【課題を解決するための手段】
【０００９】
すなわち、請求項１の発明は、遊技領域が形成された遊技盤と、前記遊技盤が設けられる前枠と、前記遊技領域に遊技媒体を発射する発射装置と、前記発射された遊技媒体を前記遊技領域の上部側に誘導する外レールと、前記外レールに誘導されて前記遊技領域内に入った遊技媒体を前記遊技領域の下部側へと誘導する内レールと、前記前枠の前側に開閉自在に装着されるとともに前記遊技領域が視認可能な透明板を保持する透明板保持枠と、前記前枠と前記透明板保持枠の開閉状態を施錠する施錠機構とを備えた遊技機において、前記内レールは、前記遊技媒体を誘導するための本体部と、前記本体部の縁に設けられ前記本体部を前記遊技盤に取り付けるための取付部と、前記本体部のうち前記取付部とは反対側の縁に設けられた弾性を有する弾性ひれ片とで構成され、前記透明板保持枠と前記前枠との関係において、前記透明板保持枠が前記前枠に対して前記施錠機構の施錠により正常に閉鎖した状態の場合に前記透明板保持枠と前記前枠との間から異物の侵入を困難な状態とするとともに前記弾性ひれ片が前記透明板保持枠あるいは前記透明板に対して弾性の付勢方向に抗した状態で当接する第１状態と、前記透明板保持枠と前記前枠が前記施錠機構により施錠された状態において、前記透明板保持枠を開放させようとする場合に、前記透明板保持枠と前記前枠との間から異物の侵入が可能な状態となる第２状態と、前記施錠機構の施錠を解除し、前記前枠に対して前記透明板保持枠を前記第２状態よりも開放した場合に前記弾性ひれ片が前記透明板保持枠あるいは前記透明板に対して当接しない第３状態とを有し、前記第２状態においては、少なくとも前記弾性ひれ片が前記付勢に抗した状態である場合には前記透明板保持枠の移動に追従して前記透明板保持枠あるいは前記透明板との当接状態が継続することによって、前記透明板保持枠と前記前枠との間から異物が侵入しても前記弾性ひれ片により前記遊技領域への侵入を困難あるいは不能とし、前記本体部のうち前記弾性ひれ片と同じ縁側で前記弾性ひれ片と異なる方向に突設して前記透明板保持枠を支持する支持部を設けており、前記支持部は前記弾性ひれ片側から侵入した異物を前記遊技領域側に侵入することを抑制する侵入抑制部であり、前記弾性ひれ片と前記支持部との間に隙間を設けたことを特徴とする遊技機に係る。
【発明の効果】
【００１０】
請求項１の発明に係る遊技機は、遊技領域が形成された遊技盤と、前記遊技盤が設けられる前枠と、前記遊技領域に遊技媒体を発射する発射装置と、前記発射された遊技媒体を前記遊技領域の上部側に誘導する外レールと、前記外レールに誘導されて前記遊技領域内に入った遊技媒体を前記遊技領域の下部側へと誘導する内レールと、前記前枠の前側に開閉自在に装着されるとともに前記遊技領域が視認可能な透明板を保持する透明板保持枠と、前記前枠と前記透明板保持枠の開閉状態を施錠する施錠機構とを備えた遊技機において、前記内レールは、前記遊技媒体を誘導するための本体部と、前記本体部の縁に設けられ前記本体部を前記遊技盤に取り付けるための取付部と、前記本体部のうち前記取付部とは反対側の縁に設けられた弾性を有する弾性ひれ片とで構成され、前記透明板保持枠と前記前枠との関係において、前記透明板保持枠が前記前枠に対して前記施錠機構の施錠により正常に閉鎖した状態の場合に前記透明板保持枠と前記前枠との間から異物の侵入を困難な状態とするとともに前記弾性ひれ片が前記透明板保持枠あるいは前記透明板に対して弾性の付勢方向に抗した状態で当接する第１状態と、前記透明板保持枠と前記前枠が前記施錠機構により施錠された状態において、前記透明板保持枠を開放させようとする場合に、前記透明板保持枠と前記前枠との間から異物の侵入が可能な状態となる第２状態と、前記施錠機構の施錠を解除し、前記前枠に対して前記透明板保持枠を前記第２状態よりも開放した場合に前記弾性ひれ片が前記透明板保持枠あるいは前記透明板に対して当接しない第３状態とを有し、前記第２状態においては、少なくとも前記弾性ひれ片が前記付勢に抗した状態である場合には前記透明板保持枠の移動に追従して前記透明板保持枠あるいは前記透明板との当接状態が継続することによって、前記透明板保持枠と前記前枠との間から異物が侵入しても前記弾性ひれ片により前記遊技領域への侵入を困難あるいは不能とし、前記本体部のうち前記弾性ひれ片と同じ縁側で前記弾性ひれ片と異なる方向に突設して前記透明板保持枠を支持する支持部を設けており、前記支持部は前記弾性ひれ片側から侵入した異物を前記遊技領域側に侵入することを抑制する侵入抑制部であり、前記弾性ひれ片と前記支持部との間に隙間を設けたため、極めて効果的に遊技領域への異物の侵入を抑制することができるとともに、遊技媒体の飛びを安定させることができ、弾性ひれ片とともに二重に異物の侵入を抑制することができる。
【図面の簡単な説明】
【００１１】
【図１】本発明の一実施例に係る遊技機全体の正面図である。
【図２】透明板保持枠を取り外した遊技機の斜視図である。
【図３】遊技盤の正面図である。
【図４】遊技盤の前面側に配置された透明板の正面図である。
【図５】遊技盤と透明板の正面図である。
【図６】図５のＡ−Ａ断面図である。
【図７】図５のＢ−Ｂ断面図である。
【図８】内レールの斜視図である。
【図９】内レールの側面図である。
【図１０】第１状態における案内領域側の内レール近傍の要部断面図である。
【図１１】第２状態における案内領域側の内レール近傍の要部断面図である。
【図１２】第３状態における案内領域側の内レール近傍の要部断面図である。
【図１３】第１状態における案内領域と反対側の内レール近傍の要部断面図である。
【図１４】第２状態における案内領域と反対側の内レール近傍の要部断面図である。
【図１５】第３状態における案内領域と反対側の内レール近傍の要部断面図である。
【図１６】第１状態における排出口側の内レール近傍の要部断面図である。
【図１７】第２状態における排出口側の内レール近傍の要部断面図である。
【図１８】第３状態における排出口側の内レール近傍の要部断面図である。
【発明を実施するための形態】
【００１２】
図１に示す実施例の遊技機１は、この発明の一実施形態に係るパチンコ遊技機である。遊技機１では、図１〜３に示すように、前枠２の内側に遊技盤３が着脱交換可能に収容されており、その遊技盤３に遊技球（遊技媒体）の外レール（外側ガイドレール）７０及び内レール（内側ガイドレール）８０が略円形に立設され、前記内レール８０によって囲まれた遊技領域６に、遊技球の入賞可能な入賞領域である入賞口等の役物が設けられている。この実施例では、前記遊技盤３の遊技領域６に、次の複数の入賞口が設けられている。なお、図においては、遊技盤３に備えられた釘は省略している。
【００１３】
まず、図１に示すように、遊技領域６の中心線上に設けられた画像表示装置９の下方に、普通電動役物で可動片１１ａ，１１ｂを有する始動入賞口１０、特別電動役物である大入賞装置（大入賞口）１５が配設されており、その下方にはアウト口１７が配設されている。また、上方両側にはランプ風車１８ａ，１８ｂ、その下方に普通図柄変動開始用左ゲート１９及び普通図柄変動開始用右ゲート２１、その下方に風車２２ａ，２２ｂが設けられており、その下方に左袖入賞口２３と右袖入賞口２５が配設され、さらには前記大入賞装置１５の両側に左落とし入賞口２７と右落とし入賞口２９が配設されている。この実施例において、始動入賞口１０は、遊技領域６を流下する遊技球を受け入れ可能とすると共に、その入球（入賞）に起因して特別遊技状態（大当たり状態）に移行するか否かの判定を開始するための入球口に相当する。以下実施例において、始動入賞口１０を入球口の一例として説明する。
【００１４】
また、遊技機１の前面側には、遊技状態を報知する枠飾りランプ３５，３６、払い出された遊技球を受けるための上側球受け皿３２、上側球受け皿３２を取り付けるための取付板３３、上側球受け皿３２の飽和時に遊技球を受けるための下側球受け皿３４、前記上側球受け皿３２に内蔵されて音声や効果音を発して遊技状態を遊技者に報知するスピーカ３７、前枠２と透明板保持枠８の開閉状態を施錠する施錠機構６０、遊技者による操作ハンドルＨ１（操作手段）の発射操作に応じて遊技球を遊技領域６に向けて弾発発射する発射装置Ｈ等がそれぞれ組み付けられている。
【００１５】
図中の画像表示装置９（図柄表示手段、判定結果報知手段等を兼ねる。）において、符号４１は普通図柄が変動表示及び停止表示可能な普通図柄表示領域、４３は数字，アルファベット，記号あるいは絵（キャラクタ）等の図柄を変動表示及び停止表示（最終的に確定表示する前の仮停止表示を含む、以下同じ）可能な図柄表示装置、４９は画像表示装置９の窓枠部、５０は図柄表示装置４３の液晶表示器（ＴＦＴ−ＬＣＤモジュール）等からなる画像表示部である。また、画像表示部５０は、特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。図柄表示装置４３については、画像表示部５０が前記したように液晶表示器に限られるものではなく、有機ＥＬ、ＣＲＴ、その他の表示手段で構成されていてもよい。なお、符号４７はＬＥＤ等からなる普通図柄変動数記憶表示器である。
【００１６】
この遊技機１では、前枠２の前側に開閉自在に透明板保持枠８が装着されるものであり、施錠機構６０によって前枠２と透明板保持枠８の開閉状態が施錠される。施錠機構６０は、図２に示すように、前枠２の一端に設けられ、公知のカギ部材（図示せず）を用いて施錠の操作を行う鍵穴部６１と、鍵穴部６１の操作に従って透明板保持枠８と係合または係合解除される係合部６２，６２とからなる。一方、透明板保持枠８は、図４〜図７に示すように、遊技盤３の前面側に配置された透明板７を保持するものであり、前後方向に一端（実施例では施錠機構６０の反対側）を軸にして閉じた際に透明板７を介して遊技領域６が視認可能とされている。また、透明板７としては、透明板保持枠に取り付けた際に遊技領域６が視認可能なものであればよく、例えば、ガラスやプラスチック等の透明な部材が使用される。図６において、符号Ｐは遊技媒体である遊技球を表す。
【００１７】
なお、図示しないが、遊技盤３の裏面側には、遊技全体の進行を各種制御基板と連携して制御する主制御基板、該遊技盤の前面側に配設された前記画像表示装置９の画像表示部５０への図柄等の表示制御を行う図柄制御基板、賞球の払い出しを制御する払出制御基板等が設けられている。また、この遊技機１において、前枠２は、前記透明板保持枠８の他、遊技盤３を取り付けるための前記遊技盤保持枠、各基板ケース等が取り付けられる裏機構盤等が相当する。
【００１８】
実施例の遊技機１では、図１〜３，５，６に示すように、外レール（外側ガイドレール）７０は発射装置Ｈによって発射された遊技球（遊技媒体）Ｐを遊技領域６の上部側に誘導するものであり、遊技盤３表面にその外周側を半周するように取り付けられて、遊技領域６の周囲のうち上半分を構成するように形成されている。一方、図１〜３，５〜７に示すように、内レール（内側ガイドレール）８０は外レール７０に誘導されて遊技領域６内に入った遊技球（遊技媒体）Ｐを前記遊技領域６の下部側へと誘導するものであり、外レール７０の内側に取り付けられ、前記外レール７０の途中から遊技領域６の周囲のうち下半分を構成するように形成されている。
【００１９】
また、遊技盤３表面の一側の外周部分において外レール７０と内レール８０とによって形成された領域は、発射装置Ｈによって発射された遊技球（遊技媒体）Ｐが遊技領域６に案内される案内領域７５として構成される。この案内領域７５を構成する外レール７０には、発射装置Ｈによって発射された遊技球Ｐが最初に当接して上側に進路を変更する（外レール７０によって上側に誘導される）ための第１着地点が形成されている。
【００２０】
内レール８０は、図８，９に示すように、遊技球（遊技媒体）Ｐを誘導するための本体部８１と、本体部８１の縁に設けられ前記本体部８１を遊技盤３に取り付けるための取付部８２と、本体部８１のうち取付部８２とは反対側（透明板保持枠８あるいは透明板７側）の縁に設けられた弾性を有する弾性ひれ片８５とで構成される。内レール８０としては、遊技盤３と透明板７との間隔等に応じて適宜の形状や大きさで形成されるが、実施例では、本体部８１が遊技盤３に対して垂直方向に高さ約１７ｍｍで立設された厚さ約２．５ｍｍの平板形状に形成されるとともに、弾性ひれ片８５が本体部８１の縁から長さ約３．５ｍｍで曲折して形成されている。
【００２１】
また、この内レール８０において、弾性ひれ片８５は、図１０〜１８に示すように、本体部８１に対して遊技領域６とは反対側、すなわち、後述する異物Ｗが外部から遊技領域６へ侵入する方向とは反対方向に突出するように構成される。さらに、図８〜１８に示すように、本体部８１のうち弾性ひれ片８５と同じ縁側には、前記弾性ひれ片８５と異なる方向に突設して透明板保持枠８を支持する支持部８３が設けられている。図示の実施例の支持部８３は遊技盤３に対して垂直方向に突出した部分である。
【００２２】
この内レール８０では、本体部８１と弾性ひれ片８５とが、同種または異種の材料によって一体に成形されている。この本体部８１と弾性ひれ片８５は互いに相溶性のある材料とすることが好ましく、実施例においては公知のインサート成形によって一体に形成される。これにより、内レールの成形が容易となる。なお、本体部８１及び弾性ひれ片８５の材料としては、例えば、本体部８１はＡＢＳ，ＰＰ，ＰＳ，ＰＥ等の樹脂材料、弾性ひれ片８５は天然ゴムや合成ゴム等のエラストマーをそれぞれ用いることが好ましい。
【００２３】
ここで、当該遊技機１は、透明板保持枠８と前枠２との関係において、図１０，１３，１６に示す第１状態と、図１１，１４，１７に示す第２状態と、図１２，１５，１８に示す第３状態とを有する。
【００２４】
第１状態は、透明板保持枠８が前枠２に対して施錠機構６０によって施錠された状態において、図１０，１３，１６に示すように、施錠機構６０の施錠により正常に閉鎖した状態の場合に、透明板保持枠８と前枠２との間からピアノ線等の異物（不正器具）Ｗの侵入を困難な状態とするとともに、内レール８０の弾性ひれ片８５が透明板保持枠８あるいは透明板７に対して弾性の付勢方向に抗した状態で当接する状態である。実施例において、第１状態とは、遊技機１の正常な状態での透明板保持枠８と前枠２との関係を表す。また、第１状態における内レール８０の弾性ひれ片８５は、透明板保持枠８あるいは透明板７によって弾性の付勢方向に抗した方向に押圧されて、支持部８３の頂点と略同一の高さ位置まで弾性変形した状態８７となる。
【００２５】
第２状態は、透明板保持枠８と前枠２が施錠機構６０により施錠された状態において、図１１，１４，１７に示すように、透明板保持枠８を開放させようとする場合に透明板保持枠８と前枠２との間から異物Ｗの侵入が可能な状態である。実施例において、第２状態とは、透明板保持枠８と前枠２とが施錠機構６０によって施錠されて閉鎖した状態から、遊技者が透明板保持枠８を遊技者側に引っ張ることにより、透明板保持枠８がわずかに浮き上がる（例えば約２ｍｍ）とともに前枠２がたわむ等の変形をして、透明板保持枠８と前枠２との間に隙間を生じさせた状態での透明板保持枠８と前枠２との関係を表す。また、第２状態における弾性ひれ片８５は、透明板保持枠８あるいは透明板７によって弾性の付勢方向に抗した方向に押圧されて、前記変形状態８７より付勢方向側の適宜の位置に弾性変形した状態８８となる。
【００２６】
第３状態は、施錠機構６０の施錠を解除した状態において、図１２，１５，１８に示すように、前枠２に対して透明板保持枠８を第２状態よりも開放した場合に、内レール８０の弾性ひれ片８５が透明板保持枠８あるいは透明板７に対して当接しない状態である。実施例において、第３状態とは、点検等の際に施錠機構６０の施錠を解除して透明板保持枠８が開放された遊技が行われない状態での透明板保持枠８と前枠２との関係を表す。また、第３状態における弾性ひれ片８５は、通常時の状態８６となる。
【００２７】
なお、上記第１〜第３状態から理解されるように、内レール８０が遊技盤３に取り付けられた状態では、図９に示すように、弾性ひれ片８５は第３状態における通常状態の位置８６から第１状態における変形状態８７の位置の間で弾性変形するものであり、通常状態８６と変形状態８７とのなす角αは約３５度とされる。
【００２８】
このように構成された遊技機１では、図１１，１４，１７に示すように、第２状態においては、少なくとも内レール８０の弾性ひれ片８５が前記付勢に抗した状態（８８）である場合には透明板保持枠８の移動に追従して透明板保持枠８あるいは透明板７との当接状態が継続するように構成される。
【００２９】
また、この遊技機１では、図１０〜１８に示すように、透明板保持枠８あるいは透明板７に、弾性ひれ片８５との当接状態の継続時において前記弾性ひれ片８５に係合する係合部９０が設けられている。実施例では、図１０〜１２，１６〜１８に示した透明板７の遊技盤３側面の弾性ひれ片８５（８８）との適宜の当接位置に形成された溝部９１と、図１３〜１５に示した透明板保持枠８の遊技盤３側面の弾性ひれ片８５（８８）との適宜の当接位置に形成された溝部９２がそれぞれ係合部９０に相当する。
【００３０】
次に、図１０，１１，１３，１４，１６，１７を用いて、遊技者が遊技機１の外部からピアノ線等の異物（不正器具）Ｗを遊技機１内部に侵入させて不正を行おうとした場合の内レール８０の作用について説明する。なお、図１０，１１は遊技機１の案内領域７５側から不正が行われ場合の実施例であり、図１３，１４は遊技機１の案内領域７５の反対側から不正が行われ場合の実施例、図１６，１７は遊技機１の排出口１７側から不正が行われ場合の実施例をそれぞれ表すものである。また、図中の符号Ｗ１は遊技機１の下側（排出口１７等）から侵入した異物、Ｗ２は遊技機１の側方（透明板保持枠８と前枠２との間）から侵入した異物である。
【００３１】
この遊技機１では、まず遊技盤３が前枠２に取り付けられて、透明板７を保持した透明板保持枠８が前記前枠２に対して施錠機構６０の施錠により閉鎖される（第１状態）。その際、図１０，１３，１６に示すように、内レール８０の支持部８３が透明板７に押し付けられながら前記透明板７を支持した状態となる。また、同時に、内レール８０の弾性ひれ片８５は、本体部８１に対して遊技領域６とは反対側に突出した状態で透明板７あるいは透明板保持枠８に押し付けられて、自身の弾性の付勢方向に抗した状態（８７）で透明板７あるいは透明板保持枠８に対して当接する。その際、弾性ひれ片８５の付勢力は透明板７あるいは透明板保持枠８方向に対して働くため、弾性ひれ片８５が透明板７あるいは透明板保持枠８方向に対して圧接した状態となる。従って、内レール８０と透明板７あるいは透明板保持枠８との間には隙間が生じない。
【００３２】
ここで、図１０に示すように、遊技機１の案内領域７５側において、外部からピアノ線等の異物（不正器具）Ｗによって不正が行われる場合、遊技機１の下側（例えば排出口１７）から案内領域７５を経て遊技領域６へ向かって異物Ｗ１が侵入する。その際、遊技盤３に対して略垂直方向に立設された内レール８０の本体部８１が異物Ｗ１の遊技領域６への侵入を妨げる一方、弾性ひれ片８５が透明板７に当接していることによって内レール８０と透明板７との隙間が形成されないため、弾性ひれ片８５が内レール８０と透明板７との間から遊技領域６への異物Ｗ１の侵入を妨げる。特に、弾性ひれ片８５が、本体部８１に対して遊技領域６とは反対側（案内領域７５側）に突出していることにより、異物Ｗ１の遊技領域６への侵入方向と反対方向に突出した状態で透明板７に当接するため、異物Ｗ１の遊技領域６への侵入がより困難な状態となる。また、支持部８３が透明板７に押し付けられるように当接されていることにより、万が一弾性ひれ片８５側から異物Ｗ１が侵入した場合でも、支持部８３が異物Ｗ１の侵入を妨げる。このように、支持部８３が異物Ｗ１の遊技領域６側への侵入を抑制する侵入抑制部として作用するため、弾性ひれ片８５と支持部（侵入抑制部）８３とによって異物Ｗ１の侵入を二重で防止することができる。
【００３３】
一方、図１１に示すように、第２状態において遊技者が透明板保持枠８を遊技者側に引っ張る等した場合、透明板７がわずかに浮き上がって（例えば約２ｍｍ）内レール８０の支持部８３との間に隙間が形成されるとともに、透明板保持枠８と前枠２との間に隙間が形成され、透明板保持枠８と前枠２との隙間に対して遊技機１の側方から異物Ｗ２を侵入させることが可能となる。その際、透明板保持枠８の移動（開閉方向）が遊技盤３に対して略垂直に遊技盤３から遠ざかる方向（図１１の例では上方向）となるのに対して、弾性ひれ片８５の付勢方向が本体部８１側端部を中心軸として遊技盤３側から透明板７側への略円弧状に遊技盤３から遠ざかる方向（図１１の例では右斜め上方向）となる。これにより、透明板保持枠８の移動方向と弾性ひれ片８５の付勢方向とが部分的に一致する（図１１の例ではともに上方向を含む）ため、内レール８０の弾性ひれ片８５は透明板保持枠８の移動に追従して透明板７との当接状態が継続される。従って、第２状態において遊技者が透明板保持枠８を遊技者側に引っ張った場合でも、透明板７と内レール８０との間に隙間が形成されず、遊技機１の下側から侵入した異物Ｗ１や側方から侵入した異物Ｗ２の遊技領域６内への侵入を防止することができる。また特に、弾性ひれ片８５が透明板７の係合部９０（溝部９１）と係合することにより、弾性ひれ片８５と透明板７との当接部分が凹凸状となって、異物Ｗの侵入がより困難な状態となる。
【００３４】
同様に、図１３に示すように、遊技機１の案内領域７５の反対側において、第１状態で遊技機１の下側から前枠２と内レール８０との隙間を経て遊技領域６へ向かって異物Ｗ１の侵入があった場合でも、弾性ひれ片８５が透明板保持枠８に対して当接するとともに支持部８３が透明板７に対して当接していることにより、弾性ひれ片８５と支持部（侵入抑制部）８３とによって異物Ｗ１の侵入を二重で防止することができる。特に、弾性ひれ片８５が、本体部８１に対して遊技領域６とは反対側（前枠２側）に突出していることにより、異物Ｗ１の遊技領域６への侵入方向と反対方向に突出した状態で透明板保持枠８に当接するため、異物Ｗ１の遊技領域６への侵入がより困難な状態となる。
【００３５】
また、図１４に示すように、第２状態では、透明板保持枠８の移動（開閉方向）が遊技盤３に対して略垂直に遊技盤３から遠ざかる方向（図１４の例では上方向）となるのに対して、弾性ひれ片８５の付勢方向が本体部８１側端部を中心軸として遊技盤３側から透明板７側への略円弧状に遊技盤３から遠ざかる方向（図１４の例では左斜め上方向）となる。これにより、透明板保持枠８の移動方向と弾性ひれ片８５の付勢方向とが部分的に一致する（図１４の例ではともに上方向を含む）ため、内レール８０の弾性ひれ片８５は透明板保持枠８の移動に追従して透明板保持枠８との当接状態が継続される。従って、遊技機１の下側から侵入した異物Ｗ１や側方から侵入した異物Ｗ２の遊技領域６内への侵入を防止することができ、特に、弾性ひれ片８５が透明板保持枠８の係合部９０（溝部９２）と係合することによって異物Ｗの侵入がより困難な状態となる。
【００３６】
さらに、図１６に示すように、遊技機１の排出口１７側において、第１状態で遊技機１の下側から遊技領域６へ向かって異物Ｗ１の侵入があった場合でも、弾性ひれ片８５及び支持部８３が透明板７に対して当接していることにより、弾性ひれ片８５と支持部（侵入抑制部）８３とによって異物Ｗ１の侵入を二重で防止することができる。特に、弾性ひれ片８５が、本体部８１に対して遊技領域６とは反対側（遊技機１の下側）に突出していることにより、異物Ｗ１の遊技領域６への侵入方向と反対方向に突出した状態で透明板７に当接するため、異物Ｗ１の遊技領域６への侵入がより困難な状態となる。
【００３７】
また、図１７に示すように、第２状態では、透明板保持枠８の移動（開閉方向）が遊技盤３に対して略垂直に遊技盤３から遠ざかる方向（図１７の例では左方向）となるのに対して、弾性ひれ片８５の付勢方向が本体部８１側端部を中心軸として遊技盤３側から透明板７側への略円弧状に遊技盤３から遠ざかる方向（図１７の例では左斜め上方向）となる。これにより、透明板保持枠８の移動方向と弾性ひれ片８５の付勢方向とが部分的に一致する（図１７の例ではともに左方向を含む）ため、内レール８０の弾性ひれ片８５は透明板保持枠８の移動に追従して透明板７との当接状態が継続される。従って、遊技機１の下側から侵入した異物Ｗ１の遊技領域６内への侵入を防止することができ、特に、弾性ひれ片８５が透明板７の係合部９０（溝部９１）と係合することによって異物Ｗ１の侵入がより困難な状態となる。
【００３８】
なお、この遊技機１の内レール８０にあっては、弾性ひれ片８５を遊技領域６の少なくとも下半分に設けることが好ましく勧められる。弾性ひれ片８５を内レール８０の遊技領域６の下半分に相当する部分に形成した場合、遊技領域６の上半分に相当する部分、つまり、発射装置Ｈによって発射された遊技球Ｐを遊技領域６内へ案内する部分に弾性ひれ片８５が形成されない。そのため、遊技領域６内に発射された遊技球が内レール８０の弾性ひれ片８５に接触する等して球飛びが不安定となる虞が低減される。また、前述の異物Ｗによる不正行為は、遊技機１の下側（排出口１７側）から行われることが多いため、特にそれら不正行為の防止に効果的である。
【００３９】
以上図示し説明したように、本発明の遊技機１では、透明板保持枠８が前枠２に対して施錠機構６０の施錠により正常に閉鎖した状態の場合に内レール８０の弾性ひれ片８５が透明板保持枠８あるいは透明板７に対して弾性の付勢方向に抗した状態（８７）で当接し、透明板保持枠８と前枠２が施錠機構６０により施錠された状態において、透明板保持枠８を開放させようとする場合に、透明板保持枠８と前枠２との間から異物Ｗの侵入が可能な状態においては、少なくとも弾性ひれ片８５が付勢に抗した状態（８８）である場合には透明板保持枠８の移動に追従して透明板保持枠８あるいは透明板７との当接状態が継続することによって、透明板保持枠８と前枠２との間から異物Ｗが侵入しても弾性ひれ片８５により遊技領域６への侵入を困難あるいは不能とするため、ピアノ線等の異物Ｗが遊技領域６内に侵入することを抑制することができ、特に、透明板保持枠８を引っ張る等して第２状態となった場合において、極めて効果的に異物Ｗの侵入を抑制することができる。
【００４０】
また、この遊技機１では、内レール８０が弾性を有する弾性ひれ片８５を備えるため、透明板保持枠８を前枠２に対して閉鎖する際に妨げとならず、開閉作業を良好に行うことができる。さらに、内レール８０に異物Ｗの侵入を抑制する弾性ひれ片８５を設けたため、発射装置Ｈから発射された遊技媒体（遊技球Ｐ）が最初に当接して遊技領域６へ案内する外レール７０に歪み等が形成されず、遊技媒体の飛び（球飛び）を安定させることが可能となる。
【００４１】
なお、本発明の遊技機は、前述の実施例のみに限定されるものではなく、発明の趣旨を逸脱しない範囲において構成の一部を適宜に変更して実施することができる。例えば、実施例では透明板７としてガラスやプラスチック等の透明な部材を用いたが、これに限定されるものではなく、半透明状の部材でも構わない。
【００４２】
本発明の遊技機において特徴となる構成は、以下のとおりまとめることができる。まず、特徴構成１は、遊技領域が形成された遊技盤と、前記遊技盤が設けられる前枠と、前記遊技領域に遊技媒体を発射する発射装置と、前記発射された遊技媒体を前記遊技領域の上部側に誘導する外レールと、前記外レールに誘導されて前記遊技領域内に入った遊技媒体を前記遊技領域の下部側へと誘導する内レールと、前記前枠の前側に開閉自在に装着されるとともに前記遊技領域が視認可能な透明板を保持する透明板保持枠と、前記前枠と前記透明板保持枠の開閉状態を施錠する施錠機構とを備えた遊技機において、前記内レールは、前記遊技媒体を誘導するための本体部と、前記本体部の縁に設けられ前記本体部を前記遊技盤に取り付けるための取付部と、前記本体部のうち前記取付部とは反対側の縁に設けられた弾性を有する弾性ひれ片とで構成され、前記透明板保持枠と前記前枠との関係において、前記透明板保持枠が前記前枠に対して前記施錠機構の施錠により正常に閉鎖した状態の場合に前記透明板保持枠と前記前枠との間から異物の侵入を困難な状態とするとともに前記弾性ひれ片が前記透明板保持枠あるいは前記透明板に対して弾性の付勢方向に抗した状態で当接する第１状態と、前記透明板保持枠と前記前枠が前記施錠機構により施錠された状態において、前記透明板保持枠を開放させようとする場合に、前記透明板保持枠と前記前枠との間から異物の侵入が可能な状態となる第２状態と、前記施錠機構の施錠を解除し、前記前枠に対して前記透明板保持枠を前記第２状態よりも開放した場合に前記弾性ひれ片が前記透明板保持枠あるいは前記透明板に対して当接しない第３状態とを有し、前記第２状態においては、少なくとも前記弾性ひれ片が前記付勢に抗した状態である場合には前記透明板保持枠の移動に追従して前記透明板保持枠あるいは前記透明板との当接状態が継続することによって、前記透明板保持枠と前記前枠との間から異物が侵入しても前記弾性ひれ片により前記遊技領域への侵入を困難あるいは不能とすることを特徴とする遊技機である。
【００４３】
特徴構成２は、前記弾性ひれ片が、前記本体部に対して前記遊技領域とは反対側に突出する構成であることを特徴とする特徴構成１に記載の遊技機である。
【００４４】
特徴構成３は、前記弾性ひれ片が、前記遊技領域の少なくとも下半分に設けられていることを特徴とする特徴構成１又は２に記載の遊技機である。
【００４５】
特徴構成４は、前記本体部のうち前記弾性ひれ片と同じ縁側で前記弾性ひれ片と異なる方向に突設して前記透明板保持枠を支持する支持部を設けており、前記支持部は前記弾性ひれ片側から侵入した異物を前記遊技領域側に侵入することを抑制する侵入抑制部であることを特徴とする特徴構成１ないし３のいずれか１項に記載の遊技機である。
【００４６】
特徴構成５は、前記透明板保持枠あるいは前記透明板には、前記弾性ひれ片との前記当接状態の継続時において前記弾性ひれ片に係合する係合部が設けられていることを特徴とする特徴構成１ないし４のいずれか１項に記載の遊技機である。
【００４７】
特徴構成６は、前記内レールの前記本体部と前記弾性ひれ片とが、同種または異種の材料によって一体に成形されていることを特徴とする特徴構成１ないし５のいずれか１項に記載の遊技機である。
【００４８】
特徴構成７は、前記本体部は前記遊技盤に対して垂直方向に立設した平板形状であり、前記弾性ひれ片は前記本体部の縁から曲折した部分であることを特徴とする特徴構成１ないし６のいずれか１項に記載の遊技機である。
【００４９】
上記の特徴構成が発揮する効果は次のとおり示すことができる。はじめに、特徴構成１に係る遊技機によると、遊技領域が形成された遊技盤と、前記遊技盤が設けられる前枠と、前記遊技領域に遊技媒体を発射する発射装置と、前記発射された遊技媒体を前記遊技領域の上部側に誘導する外レールと、前記外レールに誘導されて前記遊技領域内に入った遊技媒体を前記遊技領域の下部側へと誘導する内レールと、前記前枠の前側に開閉自在に装着されるとともに前記遊技領域が視認可能な透明板を保持する透明板保持枠と、前記前枠と前記透明板保持枠の開閉状態を施錠する施錠機構とを備えた遊技機において、前記内レールは、前記遊技媒体を誘導するための本体部と、前記本体部の縁に設けられ前記本体部を前記遊技盤に取り付けるための取付部と、前記本体部のうち前記取付部とは反対側の縁に設けられた弾性を有する弾性ひれ片とで構成され、前記透明板保持枠と前記前枠との関係において、前記透明板保持枠が前記前枠に対して前記施錠機構の施錠により正常に閉鎖した状態の場合に前記透明板保持枠と前記前枠との間から異物の侵入を困難な状態とするとともに前記弾性ひれ片が前記透明板保持枠あるいは前記透明板に対して弾性の付勢方向に抗した状態で当接する第１状態と、前記透明板保持枠と前記前枠が前記施錠機構により施錠された状態において、前記透明板保持枠を開放させようとする場合に、前記透明板保持枠と前記前枠との間から異物の侵入が可能な状態となる第２状態と、前記施錠機構の施錠を解除し、前記前枠に対して前記透明板保持枠を前記第２状態よりも開放した場合に前記弾性ひれ片が前記透明板保持枠あるいは前記透明板に対して当接しない第３状態とを有し、前記第２状態においては、少なくとも前記弾性ひれ片が前記付勢に抗した状態である場合には前記透明板保持枠の移動に追従して前記透明板保持枠あるいは前記透明板との当接状態が継続することによって、前記透明板保持枠と前記前枠との間から異物が侵入しても前記弾性ひれ片により前記遊技領域への侵入を困難あるいは不能とするため、極めて効果的に遊技領域への異物の侵入を抑制することができるとともに、遊技媒体の飛びを安定させることが可能となる。
【００５０】
特徴構成２に係る遊技機によると、特徴構成１において、前記弾性ひれ片が、前記本体部に対して前記遊技領域とは反対側に突出する構成であるため、前記弾性ひれ片が外部からの異物の遊技領域への侵入方向と反対方向に突出して、より効果的に異物の侵入を抑制することができる。
【００５１】
特徴構成３の遊技機によると、特徴構成１又は２において、前記弾性ひれ片が、前記遊技領域の少なくとも下半分に設けられているため、特に遊技機の下側からの不正行為を効果的に抑制することができるとともに、遊技領域内に入った遊技媒体の飛びが不安定となる虞を低減することができる。
【００５２】
特徴構成４の遊技機によると、特徴構成１ないし３において、前記本体部のうち前記弾性ひれ片と同じ縁側で前記弾性ひれ片と異なる方向に突設して前記透明板保持枠を支持する支持部を設けており、前記支持部は前記弾性ひれ片側から侵入した異物を前記遊技領域側に侵入することを抑制する侵入抑制部であるため、弾性ひれ片とともに二重に異物の侵入を抑制することができる。
【００５３】
特徴構成５の遊技機によると、特徴構成１ないし４において、前記透明板保持枠あるいは前記透明板には、前記弾性ひれ片との前記当接状態の継続時において前記弾性ひれ片に係合する係合部が設けられているため、透明板保持枠が正常に閉鎖した位置から施錠機構により施錠された状態で開放する位置に移動する場合においてより効果的に異物の侵入を抑制することができる。
【００５４】
特徴構成６の遊技機によると、特徴構成１ないし５において、前記内レールの前記本体部と前記弾性ひれ片とが、同種または異種の材料によって一体に成形されているため、内レールを容易に成形することができる。
【００５５】
特徴構成７の遊技機によると、特徴構成１ないし６において、前記本体部は前記遊技盤に対して垂直方向に立設した平板形状であり、前記弾性ひれ片は前記本体部の縁から曲折した部分であるため、極めて簡易な構成によって異物の侵入を抑制することができる。
【符号の説明】
【００５６】
１    遊技機
２    前枠
３    遊技盤
６    遊技領域
７    透明板
８    透明板保持枠
６０  施錠機構
７０  外レール
８０  内レール
８１  内レール本体部
８２  内レール取付部
８５  弾性ひれ片
Ｈ    発射装置
Ｐ    遊技媒体
Ｗ    異物
【図１】
2011072831.tif 000003
【図２】
2011072831.tif 000004
【図３】
2011072831.tif 000005
【図４】
2011072831.tif 000006
【図５】
2011072831.tif 000007
【図６】
2011072831.tif 000008
【図７】
2011072831.tif 000009
【図８】
2011072831.tif 000010
【図９】
2011072831.tif 000011
【図１０】
2011072831.tif 000012
【図１１】
2011072831.tif 000013
【図１２】
2011072831.tif 000014
【図１３】
2011072831.tif 000015
【図１４】
2011072831.tif 000016
【図１５】
2011072831.tif 000017
【図１６】
2011072831.tif 000018
【図１７】
2011072831.tif 000019
【図１８】
2011072831.tif 000020